(57)【要約】【課題】集塵容器に堆積した塵埃を廃棄するときの使用者の煩わしさを解消することができるのとともに、集塵力の向上を図ることが可能な電気掃除機を提供する。【解決手段】電気掃除機１は集塵容器２２と同軸に配置させて周面に開口した気流の流出口３１にメッシュ３３を設けた内筒３０と、集塵容器２２の内面との間に気流路を形成して集塵容器２２内を上下に仕切る仕切部材４０と、を備えて流入口３１から集塵容器２２に流入させた気流を旋回させて塵埃を集塵容器２２内に脱落させるサイクロン式の集塵装置２０が設けられ、さらに仕切部材４０が内筒３０に対して着脱自在に設けられるとともに、内筒３０の外周面に沿って近接して仕切部材４０を内筒３０から取り外すときに内筒３０の外周面の箇所を摺動する清掃部４４が仕切部材４０に一体として設けられている。【選択図】図５
2013052012.tif 000002
【特許請求の範囲】
【請求項１】
上面に開口面を有する断面円形の有底筒状に形成されるとともに周面に気流の流入口が設けられた着脱自在の集塵容器と、前記集塵容器と同軸に配置されて気流の流出口を周面に開口するとともに前記流出口にメッシュが設けられた内筒と、前記内筒から径方向外側に延びる円板部と前記円板部の周縁から上下に延びる筒状部とを有するとともに前記集塵容器の内面との間に気流路を形成して前記集塵容器内を上下に仕切る仕切部材と、を備え、前記流入口から前記集塵容器に流入させた気流を旋回させて塵埃を前記集塵容器内に脱落させるサイクロン式の集塵装置を設けた電気掃除機において、
前記仕切部材が前記内筒に対して着脱自在に設けられるとともに、前記内筒の外周面に沿って近接して前記仕切部材を前記内筒から取り外すときに前記内筒の外周面の箇所を摺動する清掃部を前記仕切部材に一体として設けたことを特徴とする電気掃除機。
【請求項２】
前記仕切部材が前記内筒に対して着脱自在に係合するための爪部を備え、
前記内筒が前記仕切部材の前記爪部を係止するために前記内筒の外周面一周にわたって連続させて形成された係止溝を備えることを特徴とする請求項１に記載の電気掃除機。
【請求項３】
前記仕切部材が前記清掃部を支持するために前記円板部から前記清掃部まで前記内筒の外周面に沿って延びる支柱部を備え、
前記内筒が前記流出口を複数に分割する枠部を備え、
前記係止溝が前記内筒の径方向に関して前記枠部に前記支柱部を重ならせる箇所で前記係止溝内における前記爪部の周方向への移動の抵抗となるストッパ部を備えることを特徴とする請求項２に記載の電気掃除機。
【請求項４】
前記集塵容器の前記集塵装置への装着とともに前記仕切部材が前記集塵容器の内底面に当接して前記内筒から取り外された前記仕切部材を前記内筒に対して装着させるために前記円板部から前記集塵容器の内底面に向かって延びる突出部を備えることを特徴とする請求項１〜請求項３のいずれか１項に記載の電気掃除機。
【請求項５】
前記清掃部が前記内筒の外周面に近接して径方向内側に前記内筒を擁するリング状で構成されていることを特徴とする請求項１〜請求項４のいずれか１項に記載の電気掃除機。
【発明の詳細な説明】
【技術分野】
【０００１】
本発明は、サイクロン式の集塵装置を備えた電気掃除機に関する。
【背景技術】
【０００２】
近年、吸い込んだ空気を集塵容器内で旋回させることにより遠心力で比較的大きい塵埃を分離させ、集塵容器の底部に堆積させるサイクロン式の集塵装置を備えた電気掃除機が広く普及し、それに係る従来技術が特許文献１に開示されている。
【０００３】
特許文献１に記載された電気掃除機は電動送風機を内蔵した本体を備えている。被掃除面に対向する吸込口体には接続パイプが接続され、本体には可撓性のホースが接続されている。接続パイプとホースとの間であって、接続パイプの上端部にサイクロン式の集塵装置が配置されている。
【０００４】
集塵装置は上面に開口面を有する断面円形の有底筒状に形成された着脱自在の集塵容器（ダストカップ）を備えている。集塵容器の上方には集塵容器上面の開口面の箇所が嵌合するサイクロン本体が設けられている。サイクロン本体にはその周面に接続パイプに連通して接続パイプからの空気を周接線方向に流入させる流入口（空気吹出し口）が設けられている。集塵容器内では流入口から流入する空気によって旋回気流が形成される。
【０００５】
集塵容器内には周面に気流の流出口（排気口）を開口した内筒（排気筒）が同軸に配置されている。内筒はサイクロン本体からぶら下がる形で取り付けられ、その周面の流出口にはフィルターが設けられている。サイクロン本体は電気掃除機の本体に接続されたホースに連通している。集塵装置はサイクロン本体及び内筒に対して集塵容器を着脱することができる。
【０００６】
上記構成の電気掃除機において、電動送風機の駆動によって吸込口体から被掃除面上の塵埃が空気とともに吸い込まれる。吸込口体から吸い込まれた空気は接続パイプを介して流入口から集塵装置の集塵容器内に流入する。集塵容器に流入した空気は集塵容器内で旋回し、遠心力によって大きい塵埃が分離されて集塵容器の底部に堆積する。
【０００７】
大きい塵埃が除去された気流は流出口を介して内筒内へと流通するときに流出口のメッシュ（フィルター）によって細かい塵埃が捕集される。細かい塵埃が除去された気流はサイクロン本体、すなわち集塵装置から流出する。集塵装置から流出した空気はホース及び本体内の電動送風機を通過して外部に排気される。これにより、被掃除面の掃除を行うことができる。
【０００８】
集塵装置から集塵容器を取り外すことにより集塵容器に堆積した塵埃を廃棄することができる。そして、集塵装置から集塵容器を取り外すときに内筒の外周面に対応する箇所に設けられた清掃手段が内筒の外側を摺動するようにして流出口のメッシュを清掃する。これにより、メッシュに付着した塵埃をメッシュ表面から掻き落として集塵容器内に集めることができる。
【０００９】
なお、他の従来技術においては、本体内部の電動送風機の前方にサイクロン式の集塵装置を配置した電動掃除機も存在する。
【先行技術文献】
【特許文献】
【００１０】
【特許文献１】特許３８５０７３８号公報
【発明の概要】
【発明が解決しようとする課題】
【００１１】
しかしながら、上記従来の電気掃除機は集塵装置から集塵容器を取り外したときにリング状の清掃部が内筒のメッシュ部の最下部で停止してそこに留まる。これにより、メッシュに絡みついた髪の毛や糸屑、綿などの繊維状をなす塵埃が内筒と清掃部との間に挟まってメッシュの表面から引き離すことができず、メッシュの表面に堆積する可能性がある。その結果、集塵容器に堆積した塵埃を廃棄するときにメッシュの表面に堆積した塵埃を使用者がブラシのような清掃具や手で直接取り除く必要があり、非常に煩わしいという問題があった。
【００１２】
さらに、塵埃がメッシュの表面に堆積すると、集塵容器内の旋回気流の勢いが弱くなる可能性がある。これにより、集塵装置の集塵力が低下するという問題があった。
【００１３】
本発明は、上記の点に鑑みなされたものであり、集塵容器に堆積した塵埃を廃棄するときの使用者の煩わしさを解消することができるのとともに、集塵力の向上を図ることが可能な電気掃除機を提供することを目的とする。
【課題を解決するための手段】
【００１４】
上記の課題を解決するため、本発明の電気掃除機は、上面に開口面を有する断面円形の有底筒状に形成されるとともに周面に気流の流入口が設けられた着脱自在の集塵容器と、前記集塵容器と同軸に配置されて気流の流出口を周面に開口するとともに前記流出口にメッシュが設けられた内筒と、前記内筒から径方向外側に延びる円板部と前記円板部の周縁から上下に延びる筒状部とを有するとともに前記集塵容器の内面との間に気流路を形成して前記集塵容器内を上下に仕切る仕切部材と、を備え、前記流入口から前記集塵容器に流入させた気流を旋回させて塵埃を前記集塵容器内に脱落させるサイクロン式の集塵装置を設けた電気掃除機において、前記仕切部材が前記内筒に対して着脱自在に設けられるとともに、前記内筒の外周面に沿って近接して前記仕切部材を前記内筒から取り外すときに前記内筒の外周面の箇所を摺動する清掃部を前記仕切部材に一体として設けたことを特徴としている。
【００１５】
この構成によれば、仕切部材を内筒から取り外すことにより清掃部が内筒の外側を摺動して流出口のメッシュの表面を清掃する。したがって、メッシュに絡みついた髪の毛や糸屑、綿などの繊維状をなす塵埃が内筒と清掃部との間に挟まるようなことがなく、それら塵埃がメッシュの表面に堆積することが妨げられる。
【００１６】
また、上記構成の電気掃除機において、前記仕切部材が前記内筒に対して着脱自在に係合するための爪部を備え、前記内筒が前記仕切部材の前記爪部を係止するために前記内筒の外周面一周にわたって連続させて形成された係止溝を備えることを特徴としている。
【００１７】
この構成によれば、内筒の周方向に関するいずれの箇所に対しても爪部を介して仕切部材が係合する。したがって、集塵容器に堆積した塵埃を廃棄するときの使用者の煩わしさがさらに解消される。
【００１８】
また、上記構成の電気掃除機において、前記仕切部材が前記清掃部を支持するために前記円板部から前記清掃部まで前記内筒の外周面に沿って延びる支柱部を備え、前記内筒が前記流出口を複数に分割する枠部を備え、前記係止溝が前記内筒の径方向に関して前記枠部に前記支柱部を重ならせる箇所で前記係止溝内における前記爪部の周方向への移動の抵抗となるストッパ部を備えることを特徴としている。
【００１９】
この構成によれば、爪部を係止溝のストッパ部の箇所に合わせて係合させると、内筒の枠部と仕切部材の支柱部とが内筒の径方向に関して重なる。したがって、内筒の流出口と仕切部材の支柱部とが内筒の径方向に関して重ならないので、集塵装置の集塵力の低下が妨げられる。
【００２０】
また、上記構成の電気掃除機において、前記集塵容器の前記集塵装置への装着とともに前記仕切部材が前記集塵容器の内底面に当接して前記内筒から取り外された前記仕切部材を前記内筒に対して装着させるために前記円板部から前記集塵容器の内底面に向かって延びる突出部を備えることを特徴としている。
【００２１】
この構成によれば、内筒に対する仕切部材の装着が不十分であっても、集塵容器の集塵装置への装着とともに内筒に対する仕切部材の装着が完遂する。したがって、内筒に対する仕切部材の装着の不具合が解消され、集塵装置の集塵力の低下が妨げられる。
【００２２】
また、上記構成の電気掃除機において、前記清掃部が前記内筒の外周面に近接して径方向内側に前記内筒を擁するリング状で構成されていることを特徴としている。
【００２３】
この構成によれば、清掃部の強度が向上する。したがって、清掃部の内筒に対する清掃能力が向上するので、繊維状をなす塵埃が流出口のメッシュの表面に堆積することを妨げる作用がより一層向上する。
【発明の効果】
【００２４】
本発明の構成によれば、流出口のメッシュに絡みついた髪の毛や糸屑、綿などの繊維状をなす塵埃が内筒と清掃部との間に挟まるようなことがなく、それら塵埃がメッシュ表面に堆積することが妨げられる。したがって、集塵容器に堆積した塵埃を廃棄するときの使用者の煩わしさを解消することができるのとともに、集塵力の向上を図ることが可能な電気掃除機を提供することができる。
【図面の簡単な説明】
【００２５】
【図１】本発明の実施形態に係る電気掃除機の斜視図である。
【図２】図１に示す電気掃除機の本体部の垂直断面側面図である。
【図３】図１に示す電気掃除機の集塵装置の部分垂直断面側面図である。
【図４】図３に示す集塵装置の内筒及び仕切部材の垂直断面側面図である。
【図５】図４に示す集塵装置の内筒及び仕切部材の斜視図にして、内筒に対して仕切部材を取り外した状態を示すものである。
【図６】図４の内筒及び仕切部材の係合箇所を示す垂直断面側面図である。
【図７】図４の内筒の係止溝を示す水平断面部分平面図である。
【図８】図４に示す集塵装置の内筒及び仕切部材の斜視図にして、内筒に対して仕切部材を取り付けた状態を示すものである。
【発明を実施するための形態】
【００２６】
以下、本発明の実施形態に係る電気掃除機を図１〜図８に基づき説明する。
【００２７】
最初に、本発明の実施形態に係る電気掃除機について、図１及び図２を用いてその構造の概略を説明しつつ集塵動作を説明する。図１は電気掃除機の斜視図、図２は電気掃除機の本体部の垂直断面側面図である。
【００２８】
電気掃除機１は、図１に示すように本体部２、接続ホース３、延長パイプ４及び吸込口体５を備えている。
【００２９】
本体部２は、図２に示すようにその前部にサイクロン式の集塵装置２０を内蔵し、後部に電動送風機６を内蔵している。さらに、本体部２は商用電源のコンセントから電力供給を受けるために、図１に示すように引き出し及び収納が可能な電源コード７とその先端の電源プラグ８とを備えている。
【００３０】
接続ホース３は可撓性の部材であり、本体部２の最前部に接続されるとともに内部が集塵装置２０に連通している。接続ホース３の先端には延長パイプ４が接続されている。延長パイプ４の先端には床面に対向する吸込口（不図示）を有した吸込口体５が設けられている。
【００３１】
また、延長パイプ４にはパイプ把持部９及び操作部１０が設けられている。使用者がパイプ把持部９を把持して吸込口体５を移動し、操作部１０を操作することにより電気掃除機１による掃除運転が実行される。
【００３２】
続いて、本体部２及び集塵装置２０の構成について、図２に加えて図３を用いてさらに詳しく説明する。図３は集塵装置２０の部分垂直断面側面図である。
【００３３】
本体部２は、図２に示すように本体カバー１１により覆われ、本体部２の後部に電動送風機６が配置されている。本体カバー１１の前面には接続ホース３（図１参照）を接続する接続口１１ａが開口し、背面には排気口１１ｂが開口している。電動送風機６の前方にはサイクロン式の集塵装置２０が配置されている。集塵装置２０の集塵容器２２は透明樹脂からなり、集塵容器２２内を視認できる窓部１１ｃが本体カバー１１に設けられている。集塵装置２０と電動送風機６とはダクト１２によって連結されている。
【００３４】
集塵装置２０の上部には本体カバー１１に連続して本体部２の外装を形成するカバー部２１が設けられている。カバー部２１の上面には使用者が把持する把持部２１ａが設けられている。把持部２１ａを把持して持ち上げることにより、集塵装置２０は本体部２に対して着脱自在になっている。
【００３５】
集塵装置２０は、図２及び図３に示すようにカバー部２１、集塵容器２２、フィルター保持部２３、除塵部２４、内筒３０及び仕切部材４０を備えている。
【００３６】
集塵容器２２は透明樹脂からなり、集塵装置２０の下部に配置されている。集塵容器２２は上面に開口面２２ａを有する断面円形の有底筒状に形成されている。集塵容器２２の前部の周面にはその周接線方向に延びる形で形成された流入口２２ｂが設けられている。流入口２２ｂは接続口１１ａに連通して接続ホース３（図１参照）からの気流が流入する。集塵容器２２には流入口２２ｂを介して周接線方向に気流が流入し、集塵容器２２内に旋回気流が形成される。これにより、サイクロン式の集塵装置２０が形成され、気流に含まれる塵埃を遠心力により分離、脱落させて捕集する。
【００３７】
フィルター保持部２３は集塵装置２０の上部であって、集塵容器２２の上方に配置されている。フィルター保持部２３はプリーツフィルタ等により形成されたフィルター２３ａを保持している。フィルター２３ａは平面視円形をなして集塵容器２２と同軸に配置されている。フィルター保持部２３の上面は全体がカバー部２１によって覆われ、カバー部２１の後部に設けられた集塵装置排気口２１ｂに連通している。なお、集塵装置排気口２１ｂは集塵装置２０と電動送風機６との間に設けられたダクト１２に連通し、集塵装置２０で塵埃を除去した気流が流出する。
【００３８】
除塵部２４はフィルター保持部２３の上面の箇所に設けられ、加振部２４ａを備えている。加振部２４ａはフィルター２３ａの上方に配置され、フィルター２３ａと同軸をなす軸線中心に回転自在である。加振部２４ａはモータ或いは手動によりフィルター２３ａの周方向に沿って回転移動しながらフィルター２３ａのプリーツの頂部に当接する。除塵部２４は加振部２４ａを回転させることにより加振部２４ａがフィルター２３ａの頂部を順次はじいてフィルター２３ａを振動させ、その表面に付着した塵埃を落として除去する。
【００３９】
内筒３０はフィルター保持部２３の下面から下方の集塵容器２２内に向かって突出する形で設けられている。内筒３０は集塵容器２２と同軸に配置され、周面に集塵容器２２内の気流の流出口３１が開口されている。集塵容器２２内で旋回する気流は流出口３１を通って集塵容器２２の外へと流出してフィルター２３ａの箇所へと至る。
【００４０】
仕切部材４０は内筒３０の外側及び下方に設けられている。仕切部材４０は内筒３０に対して着脱自在に設けられている。仕切部材４０は集塵容器２２の内面との間に気流路を形成して集塵容器２２内を上下に仕切っている。
【００４１】
このような構成の電気掃除機１において、操作部１０のスイッチ操作により電動送風機６を駆動すると塵埃を含んだ空気が吸込口体５から吸い込まれる。吸込口体５から吸い込まれた空気は延長パイプ４及び接続ホース３を経由し、流入口２２ｂを通って集塵装置２０及び集塵容器２２に流入する。このとき、空気と一緒に吸い込まれた塵埃が旋回の遠心力によって空気流から分離され、集塵容器２２内に捕集される。
【００４２】
集塵容器２２内に導かれた空気は流出口３１から流出し、内筒３０の内部を経てフィルター保持部２３を通過する。このとき、集塵容器２２で分離されなかった比較的細かい塵埃がフィルター保持部２３の空気流通方向上流側（下側）の面で捕集され、集塵容器２２に落下、或いはフィルター保持部２３表面に付着する。フィルター保持部２３を通過した空気は集塵装置排気口２１ｂを通って集塵装置２０から流出する。集塵装置２０から流出した空気はダクト１２を経由して電動送風機６を通り、排気口１１ｂを介して電気掃除機１の外部に排出される。
【００４３】
続いて、内筒３０及び仕切部材４０の詳細な構成について、図３に加えて図４〜図８を用いて説明する。図４は内筒３０及び仕切部材４０の垂直断面側面図、図５は内筒３０及び仕切部材４０の斜視図にして、内筒３０に対して仕切部材４０を取り外した状態を示すもの、図６は内筒３０及び仕切部材４０の係合箇所を示す垂直断面側面図、図７は内筒３０の係止溝を示す水平断面部分平面図、図８は内筒３０及び仕切部材４０の斜視図にして、内筒３０に対して仕切部材４０を取り付けた状態を示すものである。
【００４４】
内筒３０は、図４及び図５に示すように流出口３１、枠部３２、メッシュ３３及び係止溝３４を備えている。
【００４５】
流出口３１は複数の枠部３２によって複数に分割されている。枠部３２は上下方向に延びて複数の縦長矩形の流出口３１を形成している。枠部３２は内筒３０の周方向に関して幅が比較的広い枠部３２ａと幅が比較的狭い枠部３２ｂとからなっている。幅が広い枠部３２ａは内筒３０の周方向に沿って少なくとも角度９０°ごとに４本設けられている。
【００４６】
流出口３１には塵埃を捕集するためのメッシュ３３が設けられている。メッシュ３３は内筒３０の外周面または内周面に流出口３１を覆う形で設けられている。
【００４７】
係止溝３４は、図４〜図６に示すように内筒３０の外周面下部に設けられている。係止溝３４は径方向内側に向かって窪んだ凹部で構成され、内筒３０の外周面一周にわたって連続させて形成されている。内筒３０に対して仕切部材４０を取り付けるとき、内筒３０の係止溝３４が仕切部材４０の後述する爪部４６を係止する。
【００４８】
仕切部材４０は、図４及び図５に示すように円板部４１、筒状部４２、突出部４３、清掃部４４、支柱部４５及び爪部４６を備えている。
【００４９】
円板部４１は内筒３０の下端から径方向外側に向かって延びる円板状に形成されている。筒状部４２は円板部４１の周縁から上下に向かって延びる筒状に形成されている。
【００５０】
突出部４３は内筒３０に連通して円板部４１の下面から下方に突出し、集塵容器２２の内底面に向かって延びている。仕切部材４０を内筒３０に取り付け、集塵装置２０に集塵容器２２を取り付けると、突出部４３が集塵容器２２の内底面にちょうど当接するように構成されている。すなわち、突出部４３は集塵容器２２の集塵装置２０への装着とともに仕切部材４０を集塵容器２２の内底面に当接させ、内筒３０から取り外された仕切部材４０を内筒３０に対して装着させる。
【００５１】
このような構成の突出部４３により仕切部材４０の下方の径方向中心部に立設する断面円形の柱状部が形成され、この柱状部の周囲に気流を円滑に旋回させることができる。また、除塵部２４によるフィルター２３ａ（図２参照）の除塵でフィルター２３ａから内筒３０内に脱落した細かい塵埃は突出部４３の内側に回収される。突出部４３によって集塵容器２２内の気流への細かい塵埃の流出が防止される。
【００５２】
清掃部４４は円板部４１の上面から上方に向かって延びる支柱部４５によって支持され、内筒３０の外周面に沿って近接する形で構成されている。清掃部４４は内筒３０の外周面に近接して径方向内側に内筒３０を擁する例えばリング状で構成されている。清掃部４４は仕切部材４０を内筒３０から取り外すときに内筒３０の外周面の箇所を摺動する。清掃部４４の内周面に内筒３０のメッシュ３３表面に接触するブラシ状の部材を設けても良い。また、清掃部４４は内筒３０の周りを囲うように配置された複数の円弧状の部材で構成されていても良い。
【００５３】
支柱部４５は清掃部４４を支持するために円板部４１の上面から清掃部４４まで上方に向かって内筒３０の外周面に沿って延びている。支柱部４５は内筒３０の周方向に沿って角度９０°ごとに４本設けられている。そして、内筒３０に取り付けた仕切部材４０を周方向に回転させると、すべての支柱部４５各々と内筒３０の枠部３２ａとが内筒の径方向に関して重なる状態にすることができる（図８参照）。支柱部４５は内筒３０の周方向に関して枠部３２ａと幅がほぼ同じ、若しくは枠部３２ａより若干幅が狭くなっている。
【００５４】
爪部４６は、図４〜図６に示すように円板部４１の上面であって内筒３０の下端外周面に対応する箇所に設けられている。爪部４６は円板部４１の上面から上方に向かって突出し、弾性変形により内筒３０の径方向、すなわち内筒３０の外周面に対して接近或いは離隔する方向に変位可能である。爪部４６は内筒３０の係止溝３４に対して所謂スナップフィット構造をなして係合し、仕切部材４０の内筒３０に対する着脱を自在にする。
【００５５】
ここで、係止溝３４は周方向に関して少なくとも１箇所に、図７に示すストッパ部３４ａを備えている。ストッパ部３４ａの周方向の両側にはストッパ部３４ａが周方向に関して爪部４６をちょうど収容可能な大きさをなすような段差３４ｂが設けられている。２箇所の段差３４ｂ各々のストッパ部３４ａ対する周方向外側には係止溝３４の内周面に対して傾斜３４ｃが形成されている。
【００５６】
これにより、ストッパ部３４ａの周方向外側で係止溝３４に係合した爪部４６をストッパ部３４ａに向かって移動させるように内筒３０に取り付けた仕切部材４０を回転させると、爪部４６が傾斜３４ｃの箇所で径方向外側に弾性変形しながら移動して段差３４ｂを越え、ストッパ部３４ａに収まる。ストッパ部３４ａはその内部に爪部４６が収まると、段差３４ｂの作用により係止溝３４内における爪部４６の周方向への移動の抵抗となる。しかしながら、爪部４６がストッパ部３４ａに収まった状態で十分な力で仕切部材４０を内筒３０に対して周方向に回転させると、爪部４６は段差３４ｂを越えて径方向外側に弾性変形してストッパ部３４ａから脱する。
【００５７】
そして、ストッパ部３４ａは内筒３０の径方向に関して内筒３０の枠部３２ａに仕切部材４０の支柱部４５を重ならせる箇所で係止溝３４内における爪部４６の周方向への移動の抵抗となる。すなわち、爪部４６を係止溝３４に係合させてストッパ部３４ａに収めると、図８に示すようにすべての支柱部４５各々と枠部３２ａとを内筒の径方向に関して重ねることができる（図８参照）。
【００５８】
上記のように、サイクロン式の集塵装置２０が設けられた電気掃除機１は仕切部材４０が内筒３０に対して着脱自在に設けられているとともに、内筒３０の外周面に沿って近接して仕切部材４０を内筒３０から取り外すときに内筒３０の外周面の箇所を摺動する清掃部４４が仕切部材４０に一体として設けられている。これにより、仕切部材４０を内筒３０から取り外すことにより清掃部４４が内筒３３の外側を摺動して流出口３１のメッシュ３３の表面を清掃する。したがって、メッシュ３３に絡みついた髪の毛や糸屑、綿などの繊維状をなす塵埃が内筒３０と清掃部４４との間に挟まるようなことがなく、それら塵埃がメッシュ３３の表面に堆積することを妨げることができる。その結果、電気掃除機１は集塵容器２２に堆積した塵埃を廃棄するときにメッシュ３３の表面に堆積した塵埃を使用者が直接取り除く必要がなく、煩わしさを解消することが可能である。
【００５９】
また、電気掃除機１は仕切部材４０が内筒３０に対して着脱自在に係合するための爪部４６を備え、内筒３０が仕切部材４０の爪部４６を係止するために内筒３０の外周面一周にわたって連続させて形成された係止溝３４を備えているので、内筒３０の周方向に関するいずれの箇所に対しても爪部４６を介して仕切部材４０が係合する。したがって、電気掃除機１は集塵容器２２に堆積した塵埃を廃棄するときの使用者の煩わしさをさらに解消することが可能である。
【００６０】
また、電気掃除機１は仕切部材４０が清掃部４４を支持するために内筒の外周面に沿って延びる支柱部４５を備え、内筒３０が流出口３１を複数に分割する枠部３２ａを備えている。そして、係止溝３４が内筒３０の径方向に関して枠部３２ａに支柱部４５を重ならせる箇所で係止溝３４内における爪部４６の周方向への移動の抵抗となるストッパ部３４ａを備えているので、爪部４６を係止溝３４のストッパ部３４ａの箇所に合わせて係合させると、内筒３０の枠部３２ａと仕切部材４０の支柱部４５とが内筒３０の径方向に関して重なる。したがって、電気掃除機１は内筒３０の流出口３１と仕切部材４０の支柱部４５とが内筒３０の径方向に関して重ならないようにすることができ、集塵装置２０の集塵力の低下を妨げることができる。
【００６１】
また、電気掃除機１は集塵容器２２の集塵装置２０への装着とともに仕切部材４０が集塵容器２２の内底面に当接して内筒３０から取り外された仕切部材４０を内筒３０に対して装着させるために円板部４１から集塵容器２２の内底面に向かって延びる突出部４３を備えている。これにより、内筒３０に対する仕切部材４０の装着が不十分であっても、集塵容器２２の集塵装置２０への装着とともに内筒３０に対する仕切部材４０の装着が完遂する。したがって、電気掃除機１は内筒３０に対する仕切部材４０の装着の不具合を解消することができ、集塵装置２０の集塵力の低下を妨げることが可能である。
【００６２】
さらに、電気掃除機１は清掃部４４が内筒３０の外周面に近接して径方向内側に内筒３０を擁するリング状で構成されているので、清掃部４４の強度が向上する。したがって、清掃部４４の内筒３０に対する清掃能力を向上させることができるので、繊維状をなす塵埃が流出口３１のメッシュ３３の表面に堆積することを妨げる作用をより一層向上させることが可能である。
【００６３】
そして、本発明の上記実施形態の構成によれば、流出口３１のメッシュ３３に絡みついた髪の毛や糸屑、綿などの繊維状をなす塵埃が内筒３３と清掃部４４との間に挟まるようなことがなく、それら塵埃がメッシュ３３表面に堆積することが妨げられる。したがって、集塵容器２２に堆積した塵埃を廃棄するときの使用者の煩わしさを解消することができるのとともに、集塵力の向上を図ることが可能な電気掃除機１を提供することができる。
【００６４】
以上、本発明の実施形態につき説明したが、本発明の範囲はこれに限定されるものではなく、発明の主旨を逸脱しない範囲で種々の変更を加えて実施することができる。
【００６５】
例えば、電気掃除機１は電動送風機６を内蔵した本体部２に吸込口体５が接続ホース３を介して接続された所謂キャニスター型であるが、本体部２に吸込口体５を一体に設けた縦型の電気掃除機であっても良い。
【産業上の利用可能性】
【００６６】
本発明は、サイクロン式の集塵装置を備えた電気掃除機において利用可能である。
【符号の説明】
【００６７】
１    電気掃除機
２    本体部
３    接続ホース
４    延長パイプ
５    吸込口体
６    電動送風機
１０    操作部
１１    本体カバー
１１ｂ    排気口
１２    ダクト
２０    集塵装置
２２    集塵容器
２２ｂ    流入口
２３    フィルター保持部
３０    内筒
３１    流出口
３２    枠部
３３    メッシュ
３４    係止溝
３４ａ    ストッパ部
４０    仕切部材
４１    円板部
４２    筒状部
４３    突出部
４４    清掃部
４５    支柱部
４６    爪部
【図１】
2013052012.tif 000003
【図２】
2013052012.tif 000004
【図３】
2013052012.tif 000005
【図４】
2013052012.tif 000006
【図５】
2013052012.tif 000007
【図６】
2013052012.tif 000008
【図７】
2013052012.tif 000009
【図８】
2013052012.tif 000010